(57)【要約】【課題】基台にモータ電線を通さず、分解収納ができ、かつ、弛んでいるモータ電線を支柱内に通しての収納作業を容易化し、組立作業性を向上する扇風機を提供することを目的とする。【解決手段】下支柱７を略垂直な下支柱部１１と中空状の足１３とで構成し、下支柱部１１を３分割し、下支柱枠１４と下支柱板１５と化粧板１６で構成し、下支柱枠１４の前面の一部の開口１９により、弛んでいるモータ電線３２を支柱内に通しての弛んだモータ電線３２の収納作業を容易化し、組立作業性を向上することができる。また、同時に、支柱５を支持し支柱５と着脱自在に固定される基台１０を備えることにより、扇風機１のオフシーズン時に、基台１０と支柱５とを分離しての分解収納を容易化することができる。【選択図】図５
2014181603.tif 000002
【特許請求の範囲】
【請求項１】
送風する羽根と、前記羽根を駆動するモータと、前記モータに電力を供給するモータ電線と、前記羽根と前記モータを支持する中空筒状の支柱と、前記支柱を支持し前記支柱と着脱自在に固定される基台を備え、前記支柱は中空状の上支柱と中空状の下支柱を備え、前記下支柱は前記上支柱を上下動可能に支持し、前記下支柱は垂直な下支柱部と前記下支柱部の下端で前記下支柱部と直角方向に中空状の足を備え、前記足内に扇風機の電力を供給する電源部を備え、前記電源部にモータ電線が連結され、前記下支柱部は下支柱枠と下支柱板と化粧板を備え、前記下支柱枠は下端と上端と前面の一部が開口し、前記下支柱板は前記下支柱枠の前面の前記一部の開口の蓋をし、前記下支柱枠と前記下支柱板は着脱自在に固定され、前記化粧板は前記下支柱枠と前記下支柱板の前面に設けられ、前記モータ電線を前記下支柱枠の前記開口から前記下支柱枠内に収納し配線することを特徴とする扇風機。
【請求項２】
下支柱枠は合成樹脂であり、下支柱板は金属であることを特徴とする請求項１記載の扇風機。
【請求項３】
上支柱を所定の位置で位置止めする位置止め手段を備えたことを特徴とする請求項１または２に記載の扇風機。
【請求項４】
前記位置止め手段は、前記上支柱の外面の突起が、前記下支柱板の開口に入り込むことを特徴とする請求項３に記載の扇風機。
【請求項５】
化粧板は下支柱部の上方から下方の足に向かって前記足の前面側に伸びた曲面を有することを特徴とする請求項１乃至４のいずれかに記載の扇風機。
【発明の詳細な説明】
【技術分野】
【０００１】
本発明は、支柱内にモータに電力を供給するモータ電線を配線する扇風機に関するものである。
【背景技術】
【０００２】
従来、この種の扇風機は、制御基板とモータとを電気的に接続する給電線を、支柱部内を上下にスライドするスライドパイプ内に通している。（例えば、特許文献１参照）。
【先行技術文献】
【特許文献】
【０００３】
【特許文献１】特開２００４−３００９８９号公報
【発明の概要】
【発明が解決しようとする課題】
【０００４】
このような従来の扇風機においては、筒状の支柱部内に電線が通されていた。
【０００５】
組立作業時に、給電線を筒状の支柱部内に、支柱部の一方側の開口から挿入し、他方側の開口から引き出す作業が、手間のかかるものであった。更に、支柱部の長さが長くなると、更に手間のかかるものであった。
【０００６】
そこで本発明は、上記従来の課題を解決するものであり、電線を支柱内に通す作業を容易化し、組立作業性を向上する扇風機を提供することを目的とする。
【課題を解決するための手段】
【０００７】
そして、この目的を達成するために、本発明は、送風する羽根と、前記羽根を駆動するモータと、前記モータに電力を供給するモータ電線と、前記羽根と前記モータを支持する中空筒状の支柱と、前記支柱を支持し前記支柱と着脱自在に固定される基台を備え、前記支柱は中空状の上支柱と中空状の下支柱を備え、前記下支柱は前記上支柱を上下動可能に支持し、前記下支柱は垂直な下支柱部と前記下支柱部の下端で前記下支柱部と直角方向に中空状の足を備え、前記足内に扇風機の電力を供給する電源部を備え、前記電源部にモータ電線が連結され、前記下支柱部は下支柱枠と下支柱板と化粧板を備え、前記下支柱枠は下端と上端と前面の一部が開口し、前記下支柱板は前記下支柱枠の前面の前記一部の開口の蓋をし、前記下支柱枠と前記下支柱板は着脱自在に固定され、前記化粧板は前記下支柱枠と前記下支柱板の前面に設けられ、前記モータ電線を前記下支柱枠の前記開口から前記下支柱枠内に収納し配線することを特徴とする扇風機としたものであり、これにより所期の目的を達成するものである。
【発明の効果】
【０００８】
本発明によれば、送風する羽根と、前記羽根を駆動するモータと、前記モータに電力を供給するモータ電線と、前記羽根と前記モータを支持する中空筒状の支柱と、前記支柱を支持し前記支柱と着脱自在に固定される基台を備え、前記支柱は中空状の上支柱と中空状の下支柱を備え、前記下支柱は前記上支柱を上下動可能に支持し、前記下支柱は垂直な下支柱部と前記下支柱部の下端で前記下支柱部と直角方向に中空状の足を備え、前記足内に扇風機の電力を供給する電源部を備え、前記電源部にモータ電線が連結され、前記下支柱部は下支柱枠と下支柱板と化粧板を備え、前記下支柱枠は下端と上端と前面の一部が開口し、前記下支柱板は前記下支柱枠の前面の前記一部の開口の蓋をし、前記下支柱枠と前記下支柱板は着脱自在に固定され、前記化粧板は前記下支柱枠と前記下支柱板の前面に設けられ、前記モータ電線を前記下支柱枠の前記開口から前記下支柱枠内に収納し配線することを特徴とするものである。
【０００９】
これにより、下支柱部は下支柱枠と下支柱板と化粧板を備え、下支柱枠は下端と上端と前面の一部が開口し、下支柱板は下支柱枠の前面の一部の開口の蓋をしているので、モータ電線を下支柱枠の開口から下支柱枠内に通し配線し、その後で、下支柱枠の開口に下支柱板を設け、下支柱板に化粧板を装着できるものである。つまり、下支柱部の開口端でなく、下支柱部の途中から下支柱枠へモータ電線を配線できる。
【００１０】
すなわち、電線を支柱内に通す作業を容易化し、組立作業性を向上する扇風機を提供することができる。
【図面の簡単な説明】
【００１１】
【図１】本発明の実施の形態１の扇風機の外形を示す外形斜視図
【図２】同中空支柱部内を示す側断面図
【図３】同モータ周辺の内部を示す側断面図
【図４】同上支柱の位置止め手段を示す側断面図
【図５】同下支柱部の構成を示す分解斜視図
【図６】同下支柱枠内を示す側断面図
【図７】同下支柱部の構成およびモータ電線の収納状態を示す側断面図
【図８】同化粧板の外形を示す外形斜視図
【発明を実施するための形態】
【００１２】
本発明の請求項１記載の扇風機は、送風する羽根と、前記羽根を駆動するモータと、前記モータに電力を供給するモータ電線と、前記羽根と前記モータを支持する中空筒状の支柱と、前記支柱を支持し前記支柱と着脱自在に固定される基台を備え、前記支柱は中空状の上支柱と中空状の下支柱を備え、前記下支柱は前記上支柱を上下動可能に支持し、前記下支柱は垂直な下支柱部と前記下支柱部の下端で前記下支柱部と直角方向に中空状の足を備え、前記足内に扇風機の電力を供給する電源部を備え、前記電源部にモータ電線が連結され、前記下支柱部は下支柱枠と下支柱板と化粧板を備え、前記下支柱枠は下端と上端と前面の一部が開口し、前記下支柱板は前記下支柱枠の前面の前記一部の開口の蓋をし、前記下支柱枠と前記下支柱板は着脱自在に固定され、前記化粧板は前記下支柱枠と前記下支柱板の前面に設けられ、前記モータ電線を前記下支柱枠の前記開口から前記下支柱枠内に収納し配線することを特徴とする扇風機という構成を有する。
【００１３】
これにより、下支柱部は下支柱枠と下支柱板と化粧板を備え、下支柱枠は下端と上端と前面の一部が開口し、下支柱板は下支柱枠の前面の一部の開口の蓋をしているので、モータ電線を下支柱枠の開口から下支柱枠内に通し配線し、その後で、下支柱枠の開口に下支柱板を設け、下支柱板に化粧板を装着できるものである。つまり、下支柱部の開口端でなく、下支柱部の途中から下支柱枠へモータ電線を配線できる。
【００１４】
すなわち、電線を支柱内に通す作業を容易化し、組立作業性を向上する扇風機を提供することができる。
【００１５】
また、下支柱枠は合成樹脂であり、下支柱板は金属という構成にしてもよい。これにより、下支柱の強度を向上するという効果を奏する。
【００１６】
また、上支柱を所定の位置で位置止めする位置止め手段を備えたという構成にしてもよい。これにより、上支柱の位置止めが容易になるという効果を奏する。
【００１７】
また、位置止め手段は下支柱の内面と上支柱の外面が接するという構成にしてもよい。これにより、上支柱の位置止めが容易になるという効果を奏する。
【００１８】
また、位置止め手段は、下支柱枠の背面側の内面から前面方向へ伸びた複数の突起を備え、この突起は、前記下支柱枠の背面側の内面から突出すると共に鉛直方向へ伸びた板形状で、前記突起の突出した先端は上支柱の前面側の内面に接するという構成にしてもよい。これにより、上支柱の位置止めが容易となる。
【００１９】
また、化粧板は下支柱部の上方から下方の足に向かって前記足の前面側に伸びた曲面を有するという構成にしてもよい。これにより、化粧板が見易くなるという効果を奏する。
【００２０】
以下、本発明の実施の形態について図面を参照しながら説明する。
【００２１】
（実施の形態１）
図１乃至図４に示すように、扇風機１は、送風する羽根２とその羽根を駆動軸３を介し駆動するモータ４を備え、支柱５の上端で、羽根２とモータ４を支えている。
【００２２】
支柱５は中空筒状であり、中空筒状の上支柱６と下支柱７で構成され、下支柱７は上支柱６を上下動可能に支持し、上支柱６の上下動により羽根２とモータ４が上下動し、扇風機１の送風方向が上下動する。
【００２３】
下支柱７の中空内に上支柱６を下支柱７の上方から挿入し、下支柱７内に設けられたリーフスプリング８で上支柱６を上方に付勢し、下支柱７の内面から突出するスライドボタン９の突起５１と上支柱６の窪み部５２とが引っ掛かることで、上支柱６を所定の位置に止めて、上下動可能に支持している。
【００２４】
支柱５を支持し、すなわち下支柱７を支持し下支柱７と着脱自在に固定される基台１０で扇風機１を支えている。基台１０は扇風機１が倒れない程度の重さがあり、例えば、３〜６ｋｇ程度ある。
【００２５】
下支柱７は略垂直な下支柱部１１と下支柱部１１の下端１２で下支柱部１１と直角方向に中空状の足１３で構成されている。下支柱部１１は、下支柱枠１４と下支柱板１５と化粧板１６とパイプキャップ６１とを備えて構成されている。
【００２６】
図５乃至図８に示すように、下支柱枠１４は下支柱枠１４の底１７と上端１８と前面の一部が開口１９し、下支柱板１５は下支柱枠１４の前面の一部の開口１９の蓋をし、下支柱枠１４と下支柱板１５はネジ等で着脱自在に固定され、化粧板１６は下支柱枠１４と下支柱板１５の前面に着脱自在に固定されている。
【００２７】
下支柱枠１４は、軸方向が上下方向である四角筒形状で、扇風機１における前面側の上部に縦長四角形状の開口１９を備えている。この開口１９は、下支柱枠１４の上端１８の開口と連結している。この開口１９に上下方向の長さは、下支柱枠１４の四角筒形状部分の上下方向の長さより長いものである。この開口１９によって、下支柱枠１４の四角筒形状部分の長さが短くなり、下支柱７と足１３とを一体で樹脂成型できる。更に、四角筒形状部分の扇風機１における前面側を上方から下方に向かうにつれて、外方へ傾斜するものであり、曲面でもよい。これにより、下支柱７と足１３とを一体で樹脂成型し易くなり、下支柱枠１４の強度も向上する。
【００２８】
下支柱板１５は、水平断面形状が、扇風機１における背面側が開口したコの字形状で、下支柱枠１４の開口１９から下支柱枠１４内に嵌るものである。１例として、金属の長方形の平板の両長辺部分を折り曲げて、断面形状をコの字形状にしたものである。下支柱板１５を下支柱枠１４の開口１９から下支柱枠１４内に嵌めると、下支柱枠１４と下支柱板１５とによって、四角筒形状となる。下支柱板１５の下部は、下支柱枠１４の四角筒形状内に入り込んでいるので、下支柱枠１４の開口１９による強度低下を抑制できる。
【００２９】
化粧板１６は、下支柱枠１４および下支柱板１５の扇風機１における前面側に固定されている。
【００３０】
下支柱枠１４、足１３の材質としては、例えば、ＡＢＳ、ＰＰなどの合成樹脂などがある。基台１０の材質も、例えば、ＡＢＳ、ＰＰなどの合成樹脂などがあり、基台１０内部に鉄、樹脂などの重量物の重しが入っている。
【００３１】
足１３内で扇風機１に電力を供給する電源部３１が設けられ、電源部３１はコネクタであり、外部電源と導通する外部電源線に電気的に接続し、また、モータ４に電力を供給するモータ電線３２、扇風機１の運転制御を行う信号線、電力供給線等と接続している。
【００３２】
モータ電線３２は接続された足１３内の電源部３１から下支柱枠１４内、中空筒状の上支柱６内を通り、モータ４に接続されている。
【００３３】
モータ電線３２は、上下動する上支柱６の下限時、すなわち上下動するモータ４の下限時に、弛んだ状態で下支柱枠１４内に収納されている。
【００３４】
モータに電力を供給するモータ電線３２は、柔らかく自重で曲がり易いように、軟銅線などのより線をＰＶＣなどの絶縁材で被覆されている。被覆された絶縁材表面を滑り易いように、滑りを良くする滑り剤を塗布、例えば、グリスで表面塗布処理されている。
【００３５】
モータ電線３２は、略φ８〜１２程度であり、例えば略φ１０ｍｍである。モータ電線３２が収納される下支柱枠１４内の奥行きは、上下動するモータ４の下限時に、自重で垂れ下がって重ならない程度であり、モータ電線３２の直径寸法より大きく、モータ電線３２の直径の２倍の寸法より小さい程度であり、例えば、モータ電線３２をφ１０ｍｍ程度とすると、略１２〜１７ｍｍ程度である。
【００３６】
下支柱枠１４内の横幅としては、上下動するモータ４の下限時に、自重で垂れ下がって、Ｓ字を描ける程度であり、モータ電線が３本以上程度入る程度、モータ電線３２の直径の３〜５倍であり、略３０〜５０ｍｍ程度である。
【００３７】
下支柱枠１４は前面の一部が開口１９しており、前面の一部の開口１９から直接、モータ電線３２を弛ませての下支柱枠１４内への収納作業ができ、組み立て作業性が向上することとなる。
【００３８】
下支柱枠１４の前面の一部の開口１９は、モータ電線３２を弛ませての下支柱枠１４内への収納作業ができる程度であれば良く、例えば、略４０〜５０×１００〜１５０ｍｍ程度である。下支柱枠１４の上端１８は中空筒状でも、前面の一部の開口１９が下支柱枠１４の上端１８にまであっても良い。
【００３９】
下支柱板１５は鉄などの金属製であり、固定により下支柱枠１４の前面側一部の開口１９による歪みを抑制している。下支柱枠１４の前面側の開口１９の下方は、例えば、中空筒状枠体として枠強度が保たれるようにしている。
【００４０】
化粧板１６は下支柱部１１の上方から下方の足１３に向かって足１３の前面側に伸びた曲面４１を有している。化粧板１６の材質としては、ＰＰ、ＰＳ、ＡＢＳなどがある。
【００４１】
下支柱枠１４も化粧板１６と同様に、上方から下方に向かって、表面が前面側に伸びた下支柱枠１４の曲面４２を有している。化粧板１６の曲面４１と下支柱枠１４の曲面４２とは相似形であり、化粧板１６が下支柱枠１４に密着装着し固定される。
【００４２】
下支柱板１５は下支柱枠１４の開口１９の蓋をすべく下支柱枠１４の上にネジ等により着脱自在に固定される。その固定された下支柱板１５の表面には複数の凹状の引っ掛け部４３を備え、対応する化粧板１６の裏面の複数の爪部４４と装着時に契合し、着脱自在に固定される。
【００４３】
上下動する上支柱６の位置止め手段６２としては、上支柱６の前面側の外面から突出した突起６３と、この突起６３が、引っ掛かる開口６４である。この開口６４は、下支柱板１５の上部に設けたものである。すなわち、下支柱７に上支柱６の一部であるパイプキャップ６１を挿入すると、突起６３が、下支柱板１５に設けた開口６４に入り込みと共に引っ掛かり、上支柱６を所定の位置で位置止めするものである。
【００４４】
本実施例によれば、下支柱部１１は下支柱枠１４と下支柱板１５と化粧板１６を備え、下支柱枠１４は下端と上端と前面の一部が開口し、下支柱板１５は下支柱枠１４の前面の一部の開口の蓋をしているので、モータ電線３２を下支柱枠１４の開口から下支柱枠１４内に通し配線し、その後で、下支柱枠１４の開口に下支柱板１５を設け、下支柱板１５に化粧板１６を装着できるものである。つまり、下支柱部１１の開口端でなく、下支柱部１１の途中から下支柱枠１４へモータ電線３２を配線できる。
【００４５】
すなわち、電線を支柱内に通す作業を容易化し、組立作業性を向上する扇風機を提供することができる。
【００４６】
また、下支柱板１５は金属とすることにより、下支柱７の強度を向上することができるものである。
【００４７】
また、化粧板１６は下支柱部１１の上方から下方の足１３に向かって足１３の前面側に伸びた曲面４１有するとしたことにより、化粧板１６が見易くなる。
【産業上の利用可能性】
【００４８】
本発明にかかる扇風機は、弛んでいるモータ電線を支柱内に通し弛んでいるモータ電線の収納作業を容易化し、組立作業性の向上を可能とするものであるので、弛んでいる電線等の収納作業に使用される空調機等として有用である。
【符号の説明】
【００４９】
１  扇風機
２  羽根
３  駆動軸
４  モータ
５  支柱
６  上支柱
７  下支柱
８  リーフスプリング
９  スライドボタン
１０  基台
１１  下支柱部
１２  下端
１３  足
１４  下支柱枠
１５  下支柱板
１６  化粧板
１７  底
１８  上端
１９  開口
３１  電源部
３２  モータ電線
４１  曲面
４２  曲面
４３  引っ掛け部
５１  突起
５２  窪み部
６１  パイプキャップ
６２  位置止め手段
６３  突起
６４  開口
【図１】
2014181603.tif 000003
【図２】
2014181603.tif 000004
【図３】
2014181603.tif 000005
【図４】
2014181603.tif 000006
【図５】
2014181603.tif 000007
【図６】
2014181603.tif 000008
【図７】
2014181603.tif 000009
【図８】
2014181603.tif 000010